(57)【特許請求の範囲】
【請求項１】
所定の撮影モードで撮影された画像データにより、前記撮影モードに対応するオフセット補正データを取得する補正データ取得手段と、
前記撮影モードに応じて、前記オフセット補正データを取得する取得モードを切り替える切替手段と、
前記オフセット補正データを被写体の放射線画像から減算してオフセット補正処理を行う画像処理手段と、を備え、
前記取得モードは、前記画像データを、前記被写体の撮影の前に取得するモードと前記被写体の撮影の後に取得するモードとを含むことを特徴とする放射線撮影装置。
【請求項２】
前記切替手段は、前記撮影モードの撮影手技及び撮影部位の少なくとも１つに基づいて前記取得モードを切り替えることを特徴とする請求項１に記載の放射線撮影装置。
【請求項３】
前記切替手段は、前記撮影モードのサイズ、ビニング、フレームレート、及び出力ゲインの少なくとも１つに基づいて前記取得モードを切り替えることを特徴とする請求項１又は２に記載の放射線撮影装置。
【請求項４】
前記切替手段は、前記被写体の撮影の後に前記画像データを取得する前記取得モードに切り替え、
前記補正データ取得手段は、連続する前記被写体の撮影の間に前記オフセット補正データを取得することを特徴とする請求項１に記載の放射線撮影装置。
【請求項５】
前記補正データ取得手段は、複数の前記画像データにより前記オフセット補正データを取得することを特徴とする請求項１乃至４の何れか１項に記載の放射線撮影装置。
【請求項６】
予め定められた閾値以上の出力ゲインの前記撮影モードでは、前記画像処理手段は、前記被写体の撮影の後に取得された前記オフセット補正データを前記被写体の前記放射線画像から減算することを特徴とする請求項１乃至５の何れか１項に記載の放射線撮影装置。
【請求項７】
予め定められた閾値未満の出力ゲインの前記撮影モードでは、前記画像処理手段は、前記被写体の撮影の前に取得された前記オフセット補正データを前記被写体の前記放射線画像から減算することを特徴とする請求項１乃至６の何れか１項に記載の放射線撮影装置。
【請求項８】
予め定められた閾値以上のフレームレートの前記撮影モードでは、前記画像処理手段は、前記被写体の撮影の前に取得された前記オフセット補正データを前記被写体の前記放射線画像から減算することを特徴とする請求項１乃至７の何れか１項に記載の放射線撮影装置。
【請求項９】
予め定められた閾値未満のフレームレートでの前記撮影モードでは、前記画像処理手段は、前記被写体の撮影の後に取得された前記オフセット補正データを前記被写体の前記放射線画像から減算することを特徴とする請求項１乃至８の何れか１項に記載の放射線撮影装置。
【請求項１０】
前記撮影モードのサイズ、ビニング、フレームレート、及び出力ゲインの少なくとも１つに優先度が設定され、前記切替手段は、前記優先度に基づいて取得モードを切り替えることを特徴とする請求項１乃至９の何れか１項に記載の放射線撮影装置。
【請求項１１】
前記撮影モードの撮影手技及び撮影部位の少なくとも１つに優先度が設定され、前記切替手段は、前記優先度に基づいて取得モードを切り替えることを特徴とする請求項１乃至１０の何れか１項に記載の放射線撮影装置。
【請求項１２】
所定の撮影モードで撮影された画像データにより、前記撮影モードに対応するオフセット補正データを取得する工程と、
前記撮影モードに応じて、前記画像データを取得する取得モードを切り替える工程と、を備え、
前記取得モードは、前記画像データを、前記被写体の撮影の前に取得するモードと前記被写体の撮影の後に取得するモードとを含むことを特徴とする放射線撮影方法。
【請求項１３】
請求項１乃至１１の何れか１項に記載の放射線撮影装置と、
前記放射線撮影装置に放射線を照射する放射線発生手段と、
前記撮影モードを入力する入力手段と、
前記取得モードを表示する表示手段とを備えることを特徴とする放射線撮影システム。
【請求項１４】
コンピュータを請求項１乃至１１の何れか１項に記載の放射線撮影装置の各手段として機能させるためのプログラム。
【発明の詳細な説明】
【技術分野】
【０００１】
本発明は、放射線画像を撮影する放射線撮影装置、放射線撮影方法、放射線撮影システム、及びプログラムに関する。
【背景技術】
【０００２】
被写体を透過した放射線（Ｘ線など）を用いて放射線画像を撮影する放射線撮影装置として、放射線画像をリアルタイムに表示可能な放射線撮影装置が普及している。また、フラットパネル式の放射線撮影装置（ＦＰＤ）が提案されている。
【０００３】
ＦＰＤは、アモルファス半導体を透明導電膜及び導電膜で挟持した固体光検出器と放射線を可視光に変換するシンチレータとを積層した微小な放射線検出器を、石英ガラス基板上にマトリクス状に配列する。また、固体光検出器として、ＣＣＤやＣＭＯＳなどの光検出器を用いたものが知られている。また、放射線検出器として、シンチレータを用いずに、固体光検出器で放射線を直接検出するものが知られている。
【０００４】
ＦＰＤは、任意の蓄積時間の間に照射された放射線量を電荷量として検出する。そのため、被写体の放射線画像の撮影時に、放射線の照射とは無関係な電荷が放射線検出器中に存在した場合、この電荷がノイズとして放射線画像に重畳され、放射線画像の画質を低下させる原因となる。
【０００５】
例えば、ノイズとなる電荷として、先行して撮影された放射線画像の撮影後に、固体光検出器やシンチレータの特性に基づいて残留する残留電荷がある。また、ノイズとなる電荷として、主に温度の影響により固体光検出器に生成される電荷による暗電流がある。その他、放射線検出器固有の欠陥に起因する固定ノイズが放射線画像の画質を低下させる原因となる。
【０００６】
被写体の放射線画像の撮影時には、放射線の照射を行う画像の蓄積時間に比例して残留電荷や暗電流成分の電荷も蓄積され、放射線画像の画質が低下する。そのため、被写体の放射線画像の撮影において、撮影中に蓄積された残留電荷、暗電流電荷、及び固定ノイズなどによるオフセット成分を除去するためのオフセット補正処理が行われる。
【０００７】
一般に、オフセット補正処理は、放射線を照射しない状態で取得した画像データ（無曝射画像データ）をオフセット補正データとし、放射線画像からオフセット補正データを減算することで行われる。この場合、被写体の放射線画像の撮影と無曝射画像データ（オフセット補正データ）の取得とが交互に行われ、放射線画像からオフセット補正データを減算することで、オフセット補正処理が行われる。また、被写体の放射線画像の撮影前に取得された無曝射画像データをオフセット補正データとして、放射線画像から減算することで、オフセット補正処理が行われる。
【０００８】
被写体の放射線画像の撮影と無曝射画像データ（オフセット補正データ）の取得とが交互に行われる場合、残像を低減することができるが、フレームレートが遅くなるという問題がある。
【０００９】
被写体の放射線画像の撮影前にオフセット補正データを取得する場合、フレームレートが速くなり、動画像撮影などの高速連続撮影が可能となるが、残像を十分低減できないという問題がある。また、暗電流電荷は、放射線検出器の温度や撮影条件又はセンサの経時劣化などの影響で変化するため、被写体の放射線画像の撮影前にオフセット補正データを取得する場合、オフセット補正処理の精度を十分に得られないという問題がある。
【００１０】
この場合、出力ゲインやフレームレートなどの設定パラメータによって、ノイズ成分が増幅される。また、撮影部位によって残像が生じやすくなり、金属や造影剤などを含む撮影部位では、放射線画像にエッジが存在するため、残像が生じやすくなる。その他、トモシンセシスや長尺撮影などの複数の放射線画像を用いる手技では、残像が生じやすくなり、残像が診断の妨げとなる。
【００１１】
また、一般的なＦＰＤの場合、放射線検出器の駆動開始直後や放射線照射直後は暗電流電荷が不安定になりやすい。また、放射線照射後に生じる残留電荷は、放射線照射の終了直後ほど急激に変化することが知られている。そのため、安定したオフセット補正処理を実行するためには、放射線検出器の駆動開始から放射線画像の撮影までの間又は先行する放射線画像の撮影から次の放射線画像の撮影までの間に、一定の時間を確保する必要がある。一方で、放射線撮影装置の操作性を向上させるために、駆動開始直後や先行する放射線画像の撮影直後の短時間に放射線画像の撮影を行うことが望まれる。
【００１２】
特許文献１及び特許文献２では、オフセット補正処理の精度を保つために、時間に対するオフセット補正データの安定性や変動量を判定して、オフセット補正データを取得する技術が提案されている。
【先行技術文献】
【特許文献】
【００１３】
【特許文献１】特開２０１２−１８３２４１号公報
【特許文献２】特許第４５５７６９７号公報
【発明の概要】
【発明が解決しようとする課題】
【００１４】
しかしながら、オフセット補正データの安定性や変動量を判定する判定手段やそれらを演算するための演算手段が必要となり、画像サイズ、判断基準、及びフレームレートなどに応じてメモリ容量や回路規模が大きくなることがある。
【００１５】
本発明は、上記課題に鑑みてなされたものであり、メモリ容量や回路規模を大きくすることなく、撮影モードに応じて最適なオフセット補正処理を施すことができる放射線撮影装置を提供することを目的とする。
【課題を解決するための手段】
【００１６】
本発明に係る放射線撮影装置は、所定の撮影モードで撮影された画像データにより、前記撮影モードに対応するオフセット補正データを取得する補正データ取得手段と、前記撮影モードに応じて、前記画像データを取得する取得モードを切り替える切替手段とを備える。
【発明の効果】
【００１７】
メモリ容量や回路規模を大きくすることなく、撮影モードに応じて最適なオフセット補正処理を施すことで、被写体の放射線画像の画質向上が可能となる。
【図面の簡単な説明】
【００１８】
【図１】本発明の実施形態に係る放射線撮影システムの一例を示す図である。
【図２】撮影モードの設定パラメータの一例を示す図である。
【図３Ａ】撮影手技に応じた撮影モードに基づく切替テーブルの一例を示す図である。
【図３Ｂ】階層化された切替テーブルの一例を示す図である。
【図４】本発明の実施形態に係る放射線撮影装置の動作の一例を示すフローチャートである。
【発明を実施するための形態】
【００１９】
図面を参照して、本発明の実施形態の一例を詳しく説明する。図１は、本実施形態に係る放射線撮影システムの一例を示す図である。図１（ａ）に示すように、放射線撮影システムは、放射線撮影装置１、放射線を放射線撮影装置１に照射する放射線発生装置２、及び放射線撮影装置１や放射線発生装置２の制御を行う制御装置３を備える。
【００２０】
放射線撮影装置１は、放射線検出部１０１、画像処理部１０２、制御部１０３、記憶部１０４、及び通信部１０５を備える。図１（ｂ）に示すように、制御部１０３は、補正データ取得部１１０及び切替部１１１を備える。制御装置３は、入力部３０１、表示部３０２、及び通信部３０３を備える。
【００２１】
放射線検出部１０１は、シンチレータ、光検出器アレイ、駆動回路、及びＡ／Ｄ変換器を含み、放射線を検出可能であり、画像データを生成する。放射線検出部１０１のシンチレータは、被写体を透過したエネルギーの高い放射線により蛍光体の母体物質が励起され、再結合する際の再結合エネルギーにより可視領域の蛍光を発する。この蛍光は、ＣａＷＯ４やＣｄＷＯ４などの母体自身によるものやＣｓＩ：ＴｌやＺｎＳ：Ａｇなどの母体内に付加された発光中心物質によるものがある。
【００２２】
光検出器アレイは、駆動回路の動作により、光検出器アレイを構成する各画素で検出された蛍光量（シンチレータに入射した放射線量）に応じた電気信号を出力する。Ａ／Ｄ変換器は、光検出器アレイからの出力信号をデジタル化して画像データを出力する。
【００２３】
画像処理部１０２は、放射線検出部１０１から出力される画像データに対して、ゲイン処理やオフセット補正処理などの画像処理を施す。オフセット補正処理は、制御部１０３の制御に基づき、記憶部１０４に保存されたオフセット補正データ（無曝射画像データ）を放射線画像から減算することで行われる。また、画像処理部１０２は、低ノイズの放射線画像データを得るために、ゲイン補正処理などのその他の基本的な画像処理を施してもよい。更に、画像処理部１０２は、階調補正などのユーザが要求する画像品質調整を含む画像処理を施してもよい。
【００２４】
制御部１０３は、放射線画像の撮影や通信動作など、放射線撮影装置１の各部の制御に関わる処理を行う。例えば、制御部１０３は、放射線画像を取得する指示を放射線検出部１０１の駆動回路へ出し、取得された放射線画像を保存する指示を記憶部１０４へ出力する。
【００２５】
補正データ取得部１１０は、所定の撮影モードで撮影された画像データ（無曝射画像データ）により、撮影モードに対応するオフセット補正データを取得し、記憶部１０４に保存する。切替部１１１は、撮影モードに応じて、画像データ（無曝射画像データ）を取得する取得モードを切り替える。例えば、切替部１１１は、駆動回路へ指示を出力することにより、記憶部１０４に保存された取得モード切替用のテーブル（切替テーブル）を用いて、画像データ（無曝射画像データ）を取得する取得モードを切り替える。
【００２６】
また、制御部１０３は、通信部１０５を介して制御装置３へデータ（画像データや制御信号など）の送受信を行い、受信データに基づいて各種処理を行う。例えば、制御部１０３は、記憶部１０４に保存されているプログラムなどを読み出し、これに基づいて放射線撮影装置１の制御を行う。また、ＡＳＩＣなどによる制御信号発生回路により装置制御が行われてもよいし、プログラムと制御回路の両方により装置制御が実現されてもよい。
【００２７】
記憶部１０４は、放射線検出部１０１又は画像処理部１０２から出力される画像データ、画像処理部１０２の補正処理用の画像データ（オフセット補正データやゲイン補正データなど）、撮影モード情報、取得モード情報（オフセット補正データの取得モードを切り替えるための切替テーブルなど）、及び内部処理の結果を示すログ情報などを記憶する。
【００２８】
また、記憶部１０４は、制御部１０３がＣＰＵなどのソフトウェアを用いるものである場合には、そのためのソフトウェアなども格納する。記憶部１０４は、具体的な実装に制約はなく、１つあるいは複数のメモリやＨＤＤ又は揮発や不揮発などの様々の組み合わせで実装可能である。
【００２９】
通信部１０５は、無線ＬＡＮ、有線ＬＡＮ、又は公衆回線用の通信モジュールを用いることにより実現され、各種データ（画像処理部１０２で画像処理された画像データやログ情報など）を外部に転送する。例えば、通信部１０５は、制御装置３と通信を行う。
【００３０】
制御装置３は、撮影画像の表示、撮影オーダーの受付、及び撮影情報の入力などを行う。制御装置３は、ユーザの各種データの入力を可能とする入力部３０１、放射線画像などを表示する表示部３０２、及び放射線撮影装置１とのデータ通信を行う通信部３０３を備える。
【００３１】
入力部３０１は、ユーザからの操作を受け付けるために用いられる。入力部３０１は、具体的な実装に制約はなく、ユーザからの入力を受け付けられればよい。例えば、入力部３０１は、ユーザが操作する各種スイッチ、キーボード、及びタッチパネルなどによって実現される。表示部３０２は、放射線撮影装置１から受信する放射線画像などを表示したり、放射線撮影装置１の状態などをユーザなどに通知したりする。表示部３０２は、具体的な実装に制約はなく、ＬＥＤ、ＬＣＤ、及びモニターなどによって実現される。
【００３２】
通信部３０３は、放射線撮影装置１の通信部１０５と制御装置３との通信を行うために用いられ、放射線撮影装置１から出力された画像データなどの取得や放射線撮影装置１と制御装置３とのデータ通信の制御などを行う。通信部３０３は、具体的な実装に制約はなく、無線ＬＡＮ、有線ＬＡＮ、又は公衆回線用の通信モジュールなどを用いることにより実現される。
【００３３】
ここで、撮影モード情報や取得モードについて説明する。図２は、撮影モードのサイズ、ビニング、フレームレート、及び出力ゲインを含む撮影モードの設定パラメータの一例を示す図である。放射線撮影装置１は、複数の撮影モードを有しており、撮影手技に適した撮影モードを選択して使用する。例えば、図３Ａに示すように、撮影手技Ａは撮影モードＮｏ.１及びＮｏ.４を使用し、撮影手技Ｂは撮影モードＮｏ.５を使用し、撮影手技ＣはＮｏ.２及びＮｏ.３を使用する。この場合、撮影手技に関連付けられた取得モードが切替テーブル３００として記憶部１０４に格納される。
【００３４】
図３Ａの取得モードは、画像データ（無曝射画像データ）を取得するモードであり、「０」と「１」で表される。ここで、「０」の取得モードは、被写体の撮影の後に画像データ（無曝射画像データ）を取得する取得モードである。この場合、被写体の撮影の後に、オフセット補正データが取得される。また、「０」の取得モードは、被写体の撮影とオフセット補正データの取得とを交互に行う取得モードである。
【００３５】
この場合、補正データ取得部１１０は、連続する被写体の撮影の間にオフセット補正データを取得する。例えば、補正データ取得部１１０は、連続する被写体の撮影（例えば、第１の放射線画像の撮影と第２の放射線画像の撮影）の間にオフセット補正データ（第１のオフセット補正データ）を取得する。また、補正データ取得部１１０は、連続する被写体の撮影（例えば、第２の放射線画像の撮影と第３の放射線画像の撮影）の間にオフセット補正データ（第２のオフセット補正データ）を取得する。
【００３６】
画像処理部１０２は、被写体の放射線画像とオフセット補正データを交互に入力し、被写体の撮影直後に取得されたオフセット補正データを被写体の放射線画像から減算することで、オフセット補正処理を行う。例えば、画像処理部１０２は、第１のオフセット補正データを第１の放射線画像から減算し、第２のオフセット補正データを第２の放射線画像から減算することで、オフセット補正処理を行う。このように、被写体の放射線画像の撮影と無曝射画像データ（オフセット補正データ）の取得とが交互に行われ、放射線画像からオフセット補正データを減算することで、オフセット補正処理が行われる。
【００３７】
「１」の取得モードは、被写体の撮影の前に画像データ（無曝射画像データ）を取得する取得モードである。この場合、被写体の撮影の前に、オフセット補正データが取得される。画像処理部１０２は、被写体の撮影前にオフセット補正データとして取得された画像データ（無曝射画像データ）を被写体の放射線画像から減算することで、オフセット補正処理を行う。
【００３８】
これにより、放射線画像における残像の影響が大きく、残像を低減する必要がある撮影モードの場合は、切替部１１１は、画像データを取得する取得モードを「０」に切り替える。例えば、トモシンセシスや長尺撮影の１つであるスロットスキャンを行う撮影モードでは、被写体の複数の放射線画像を再合成するため、残像の影響が大きい。この場合、切替テーブル３００の取得モードとして「０」が登録され、残像が低減された好適な放射線画像を取得することができ、放射線画像の適切な診断に資することができる。
【００３９】
なお、切替部１１１は、撮影部位に基づいて取得モードを切り替えてもよいし、放射線を照射した状態で取得した画像（曝射画像）を撮影してからの時間に基づいて取得モードを切り替えてもよい。また、切替部１１１は、撮影モードのサイズ、ビニング、フレームレート、及び出力ゲインの少なくとも１つに基づいて取得モードを切り替えてもよい。これらに対応する取得モードが切替テーブルとして記憶部１０４に格納される。
【００４０】
例えば、出力ゲインの設定値が大きい場合、アーチファクトも大きくなる。そのため、切替部１１１は、所定の閾値（例えば、出力ゲイン１０）を設定し、閾値以上の出力ゲインの撮影モードＮｏ.１及びＮｏ.４では取得モードを「０」に切り替える。また、切替部１１１は、閾値未満の出力ゲインの撮影モードＮｏ.２、Ｎｏ.３、及びＮｏ.５では取得モードを「１」に切り替える。
【００４１】
この場合、予め定められた閾値以上の出力ゲインの撮影モードでは、画像処理部１０２は、被写体の撮影の後に取得されたオフセット補正データを被写体の放射線画像から減算することで、オフセット補正処理を行う。また、予め定められた閾値未満の出力ゲインの撮影モードでは、画像処理部１０２は、被写体の撮影の前に取得されたオフセット補正データを被写体の放射線画像から減算することで、オフセット補正処理を行う。
【００４２】
また、フレームレートが遅い場合、蓄積時間が長くなり残像の影響が大きくなる。そのため、切替部１１１は、所定の閾値（例えば、フレームレート１０）を設定し、閾値以上のフレームレートの撮影モードＮｏ.１、Ｎｏ.４、及びＮｏ.５では取得モードを「１」に切り替える。また、切替部１１１は、閾値未満のフレームレートの撮影モードＮｏ.２及びＮｏ.３では取得モードを「０」に切り替える。
【００４３】
この場合、予め定められた閾値以上のフレームレートの撮影モードでは、画像処理部１０２は、被写体の撮影の前に取得されたオフセット補正データを被写体の放射線画像から減算することで、オフセット補正処理を行う。また、予め定められた閾値未満のフレームレートでの撮影モードでは、画像処理部１０２は、被写体の撮影の後に取得されたオフセット補正データを被写体の放射線画像から減算することで、オフセット補正処理を行う。
【００４４】
また、撮影部位によって放射線画像にエッジが存在し、残像が目立ちやすくなる。そのため、切替部１１１は、所定の撮影部位（例えば、骨や関節などで金属が使用されている部位や消化管検査などでバリウムや造影剤が使用されている部位）を撮影する撮影モードでは取得モードを「０」に切り替える。また、切替部１１１は、その他の撮影部位を撮影する撮影モードでは取得モードを「１」に切り替える。
【００４５】
また、心臓などの撮影部位では高フレームレートが要求される。そのため、切替部１１１は、撮影部位及びフレームレート（撮影モードの設定パラメータ）において、撮影部位よりも高い優先度をフレームレートに設定し、優先度が高いフレームレートに基づいて、高速撮影動作が可能な取得モードを「１」に切り替えてもよい。
【００４６】
このように、切替部１１１は、撮影モードの撮影手技、撮影部位、サイズ、ビニング、フレームレート、及び出力ゲインの少なくとも１つに優先度を設定し、優先度に基づいて取得モードを切り替えてもよい。例えば、撮影モードのサイズ、ビニング、フレームレート、及び出力ゲインの少なくとも１つに優先度が設定され、切替部１１１は、優先度に基づいて取得モードを切り替えてもよい。また、撮影モードの撮影手技及び撮影部位の少なくとも１つに優先度が設定され、切替部１１１は、優先度に基づいて取得モードを切り替えてもよい。
【００４７】
また、放射線を照射した状態で取得した画像（曝射画像）を撮影してからの時間が短い場合、次の被写体の放射線画像に残像が生じやすくなる。そのため、切替部１１１は、所定の閾値を設定し、曝射画像を撮影してからの時間が閾値以上である場合は、取得モードを「０」に切り替えてもよい。また、切替部１１１は、曝射画像を撮影してからの時間が閾値未満である場合は、取得モードを「１」に切り替えてもよい。
【００４８】
また、切替部１１１は、撮影モードの撮影手技、撮影部位、サイズ、ビニング、フレームレート、及び出力ゲインのうちの複数を階層的に分類し、分類に基づいて取得モードを切り替えてもよい。例えば、図３Ｂに示すように、撮影手技が撮影部位及び出力ゲインによって階層化され、階層化された分類に応じた取得モードが切替テーブル３３０として記憶部１０４に格納される。切替部１１１は、階層化された分類に基づいて取得モードを切り替えてもよい。
【００４９】
次に、図４を用いて、オフセット補正処理を含む画像処理について説明する。図４は、本実施形態に係る放射線撮影装置の動作の一例を示すフローチャートである。
【００５０】
ステップＳ４０１では、ユーザにより制御装置３の入力部３０１が、被写体の放射線画像を撮影するための撮影モードを入力し、放射線撮影装置１が、通信部１０５，３０３を介して撮影モードを受信する。この場合、ユーザが撮影モードを選択するために、表示部３０２が撮影モードを表示してもよい。
【００５１】
ステップＳ４０２では、切替部１１１が、撮影モードに応じて、記憶部１０４に格納されている切替テーブルを参照する。
【００５２】
ステップＳ４０３において、撮影モードに応じて、画像データ（無曝射画像データ）を取得する取得モードを切り替える。この場合、ユーザが取得モードを確認するために、表示部３０２が取得モードを表示してもよい。ステップＳ４０３において、取得モードが「０」に切り替えられた場合、ステップＳ４０４以降に進み、被写体の撮影の後に画像データ（無曝射画像データ）が取得され、被写体の撮影とオフセット補正データの取得とが交互に行われる。
【００５３】
ステップＳ４０４では、放射線発生装置２が放射線を放射線撮影装置１に照射し、放射線撮影装置１が所定の撮影モードで被写体の放射線画像の撮影を行う。ステップＳ４０５では、補正データ取得部１１０が、所定の撮影モードで撮影された画像データ（無曝射画像データ）により、ステップＳ４０４における撮影モードに対応するオフセット補正データを取得する。この場合、補正データ取得部１１０は、ステップＳ４０４における放射線画像の撮影と同じ撮影モードの無曝射画像データを、オフセット補正データとして取得する。
【００５４】
ステップＳ４０６では、画像処理部１０２が、放射線画像からオフセット補正データを減算することで、オフセット補正処理を行う。ステップＳ４０７では、画像処理部１０２が、ステップＳ４０６においてオフセット補正処理が施された補正画像を出力する。
【００５５】
ステップＳ４０３において、取得モードが「１」に切り替えられた場合、ステップＳ４０８以降に進み、被写体の撮影の前に画像データ（無曝射画像データ）が取得される。
【００５６】
ステップＳ４０８では、補正データ取得部１１０は、ステップＳ４１０において撮影する撮影モードの画像データ（無曝射画像データ）が記憶部１０４に格納されているか否かを判断する。無曝射画像データが格納されていない場合は、ステップＳ４０９に進み、無曝射画像データが格納されている場合は、補正データ取得部１１０が無曝射画像データをオフセット補正データとして取得して、ステップＳ４１０に進む。
【００５７】
ステップＳ４０９では、補正データ取得部１１０が、所定の撮影モードで撮影された画像データ（無曝射画像データ）により、ステップＳ４１０における撮影モードに対応するオフセット補正データを取得する。この場合、補正データ取得部１１０は、ステップＳ４１０における放射線画像の撮影と同じ撮影モードの無曝射画像データを、オフセット補正データとして取得する。
【００５８】
なお、補正データ取得部１１０は、複数の無曝射画像データによりオフセット補正データを取得してもよい。例えば、補正データ取得部１１０は、複数の無曝射画像データの平均を、オフセット補正データとして取得してもよい。
【００５９】
ステップＳ４１０では、放射線発生装置２が放射線を放射線撮影装置１に照射し、放射線撮影装置１が所定の撮影モードで被写体の放射線画像の撮影を行い、ステップＳ４０６，Ｓ４０７に進む。
【００６０】
このように、本実施形態によれば、撮影モードに応じて予め設定された取得モードに切り替えることで、メモリ容量や回路規模を大きくすることなく、最適なオフセット補正処理を施すことができ、被写体の放射線画像の画質向上を図ることができる。
【００６１】
以上、本発明にかかる実施形態について説明したが、本発明はこれらに限定されるものではなく、請求項に記載された範囲内において変更・変形することが可能である。
【００６２】
本発明は、上記の実施形態の機能を実現するソフトウェア（プログラム）を、ネットワーク又は各種記憶媒体を介してシステム又は装置に供給し、システム又は装置のコンピュータ（ＣＰＵやＭＰＵなど）がプログラムを読み出すことにより実行されてもよい。
【符号の説明】
【００６３】
１  放射線撮影装置
２  放射線発生装置
３  制御装置
１０１  放射線検出部
１０２  画像処理部
１０３  制御部
１０４  記憶部
１０５，３０３  通信部
１１０  補正データ取得部
１１１  切替部
３０１  入力部
３０２  表示部
【図１】
0006609119.tif 000002
【図２】
0006609119.tif 000003
【図３Ａ】
0006609119.tif 000004
【図３Ｂ】
0006609119.tif 000005
【図４】
0006609119.tif 000006